(57)【要約】【課題】電子内視鏡のコネクタをビデオプロセッサのコネクタ受けに接続及び分離する操作が数多く繰り返されても、係合ピンとカラーとの嵌合部において摩耗が発生せず、軽い操作力でコネクタとコネクタ受けとの接続及び分離を行い続けることができる電子内視鏡装置のコネクタ接続部を提供すること。【解決手段】ビデオプロセッサに設けられたコネクタ受け４０に対して接続及び分離自在な電子内視鏡のコネクタ１０側に係合ピン１３が突設されて、コネクタ受け４０側に形成されたカム溝５５に係脱自在な円筒状のカラー１４が係合ピン１３に回転自在に被嵌された電子内視鏡装置のコネクタ接続部において、係合ピン１３とカラー１４との嵌合面のうち、係合ピン１３の外周面とカラー１４の内周面の少なくとも一方に、減摩性を有する微粒子が分散して混入された分散めっき処理を施した。【選択図】      図１
2005058548.tif 000002
【特許請求の範囲】
【請求項１】
ビデオプロセッサに設けられたコネクタ受けに対して接続及び分離自在な電子内視鏡のコネクタ側に係合ピンが突設されて、上記コネクタ受け側に形成されたカム溝に係脱自在な円筒状のカラーが上記係合ピンに回転自在に被嵌された電子内視鏡装置のコネクタ接続部において、
上記係合ピンと上記カラーとの嵌合面のうち、上記係合ピンの外周面と上記カラーの内周面の少なくとも一方に、減摩性を有する微粒子が分散して混入された分散めっき処理を施したことを特徴とする電子内視鏡装置のコネクタ接続部。
【発明の詳細な説明】
【技術分野】
【０００１】
この発明は電子内視鏡装置のコネクタ接続部に関する。
【背景技術】
【０００２】
電子内視鏡装置においては、ビデオプロセッサに設けられたコネクタ受けに対して接続及び分離自在な電子内視鏡のコネクタ側に係合ピンが突設されて、その係合ピンが係合するカム溝がビデオプロセッサのコネクタ受け側に形成されたものがある（例えば、特許文献１の段落〔００２９〕）。
【０００３】
しかし、そのような構造のコネクタをコネクタ受けに接続及び分離させる際には、係合ピンがカム溝内を移動していく際の摺動抵抗により操作力が重くなり、また接続と分離の繰り返しによってカム溝が次第に摩耗してガタつきが発生してしまう。
【０００４】
そこで、コネクタ受けのカム溝に係脱自在な円筒状のカラーを係合ピンに回転自在に被嵌させて、コネクタをコネクタ受けに係脱させると、カラーがカム溝との接触により係合ピンの軸線周りに回転しながらカム溝内を移動するようにしている（例えば、特許文献１の段落〔００６１〕）。
【特許文献１】特開平１０−５２４００号公報
【発明の開示】
【発明が解決しようとする課題】
【０００５】
上述のように、円筒状のカラーを係合ピンに回転自在に被嵌させて、カラーがカム溝との接触により回転するように構成することにより、コネクタをコネクタ受けに接続及び分離させる際の操作力が大幅に軽くなる。
【０００６】
しかし、そのような接続と分離が数多く繰り返されると、係合ピンとカラーとの嵌合部において摩耗が発生し、その摩耗により削れた金属粉が回転作動部に溜まって、コネクタとコネクタ受けとの接続、分離操作が次第に重くなってしまう場合がある。
【０００７】
そこで本発明は、電子内視鏡のコネクタをビデオプロセッサのコネクタ受けに接続及び分離する操作が数多く繰り返されても、係合ピンとカラーとの嵌合部において摩耗が発生せず、軽い操作力でコネクタとコネクタ受けとの接続及び分離を行い続けることができる電子内視鏡装置のコネクタ接続部を提供することを目的とする。
【課題を解決するための手段】
【０００８】
上記の目的を達成するため、本発明の電子内視鏡装置のコネクタ接続部は、ビデオプロセッサに設けられたコネクタ受けに対して接続及び分離自在な電子内視鏡のコネクタ側に係合ピンが突設されて、コネクタ受け側に形成されたカム溝に係脱自在な円筒状のカラーが係合ピンに回転自在に被嵌された電子内視鏡装置のコネクタ接続部において、係合ピンとカラーとの嵌合面のうち、係合ピンの外周面とカラーの内周面の少なくとも一方に、減摩性を有する微粒子が分散して混入された分散めっき処理を施したものである。
【発明の効果】
【０００９】
本発明によれば、電子内視鏡のコネクタ側に設けられた係合ピンとカラーとの嵌合面のうち、係合ピンの外周面とカラーの内周面の少なくとも一方に、減摩性を有する微粒子が分散して混入された分散めっき処理を施したことにより、コネクタをビデオプロセッサのコネクタ受けに接続及び分離する操作が数多く繰り返されても、係合ピンとカラーとの嵌合部において摩耗が発生せず、軽い操作力でコネクタとコネクタ受けとの接続及び分離を行い続けることができる。
【発明を実施するための最良の形態】
【００１０】
ビデオプロセッサのコネクタ受け側に形成されたカム溝に係脱するように電子内視鏡のコネクタ側に突設された係合ピンに回転自在に被嵌されたカラーの内周面と、それに嵌合する係合ピンの外周面とに、減摩性を有する微粒子が分散して混入された分散めっき処理を施す。
【実施例】
【００１１】
図面を参照して本発明の実施例を説明する。
図３は、電子内視鏡のコネクタ１０とビデオプロセッサの前面パネルに配置されたコネクタ受け４０とを示している。
【００１２】
コネクタ１０は、図示されていない電子内視鏡の操作部から延出する連結可撓管１の先端に設けられており、縦長の直方体状に形成されたコネクタケース１１の端面の下半部にライトガイドコネクタ部Ａが設けられ、上半部に信号コネクタ部Ｂが設けられている。それに合わせてビデオプロセッサのコネクタ受け４０側には、下半部にライトガイドコネクタ受け部ａが設けられ、上半部に信号コネクタ受け部ｂが設けられている。
【００１３】
ライトガイドコネクタ受け部ａには、軸線部に貫通孔４２が穿設されたライトガイドアダプタ４３が取り付けられており、電子内視鏡のライトガイドコネクタ部Ａに突設されたライトガイド接続ロッド１２をライトガイドアダプタ４３の貫通孔４２に差し込むことによって、ビデオプロセッサに内蔵された光源ランプ（図示せず）から放射された照明光が、ライトガイド接続ロッド１２の先端面に配置されたライトガイド入射端面に収束する。
【００１４】
信号コネクタ受け部ｂには、外方に向けて支持筒４６が突設されており、その支持筒４６内には、信号接点が配置された多数の穴が電気絶縁材に形成された接点受け部材５２が固定されている。各信号接点は、ビデオプロセッサ内の制御回路及び映像信号処理回路等に接続されている。
【００１５】
支持筒４６を囲む状態に配置されているカム筒４７には、例えば前面に開口して奥位置で周方向に曲がった一対のＬ字状のカム溝５５が形成されており、カム筒４７を囲む状態にカム筒４７に固定されている回転ハンドル６０とカム筒４７とを、一体的に支持筒４６の周りに回転させることができる。
【００１６】
コネクタ１０の信号コネクタ部Ｂには、支持筒４６内に嵌合する接続筒体１５が突設されていて、接続筒体１５の外周面に外方に向けて突設された位置決めピン１８が係合する案内用直進溝４８が支持筒４６に軸線と平行に形成されている。
【００１７】
また、接続筒体１５の外周面に突設された金属製の係合ピン１３には、回転ハンドル６０側のカム溝５５に係脱自在な金属製の円筒状のカラー１４が軸線周りに回転自在に被嵌されており、そのカラー１４とカム溝５５とを通過させるための逃げ溝５９が支持筒４６に形成されている。
【００１８】
このような構成により、カラー１４とカム溝５５とが係合するように接続筒体１５を支持筒４６内に差し込んで、回転ハンドル６０でカム筒４７を回転させることにより電子内視鏡のコネクタ１０がビデオプロセッサのコネクタ受け４０に対して抜け出さないように接続された状態になり、逆の操作でコネクタ１０をコネクタ受け４０から分離することができる。
【００１９】
図１は、上述のようなコネクタ１０の接続筒体１５部分を示しており、１６は、コネクタ受け４０側と電気的に接続される接点ピンである。
係合ピン１３は、例えば１８０°対称位置の二箇所に突出するように接続筒体１５の外周面にねじ込み固定されており、回転自在に係合ピン１３に被嵌されたカラー１４は、係合ピン１３の頭部によって軸線方向移動が規制されている。
【００２０】
そして、そのような係合ピン１３のカラー１４との嵌合面には、図２に砂面状に示されるように、減摩性を有する微粒子が分散して混入された分散めっき処理が、係合ピン１３の外周面とカラー１４の内周面とに施されている。分散めっき処理に用いられる減摩性を有する微粒子としては、フッ素樹脂、二酸化チタン、炭化ホウ素又は二硫化モリブデン等を用いることができる。
【００２１】
その結果、電子内視鏡のコネクタ１０をビデオプロセッサのコネクタ受け４０に接続及び分離する操作が数多く繰り返されても、係合ピン１３とカラー１４とが回転摺接する嵌合面に摩耗が発生せず、軽い操作力でコネクタ１０とコネクタ受け４０との接続及び分離を行い続けることができる。
【００２２】
なお、本発明は上記実施例に限定されるものではなく、例えば、係合ピン１３とカラー１４との嵌合面のうち、係合ピン１３の外周面とカラー１４の内周面の少なくとも一方に上述のような分散めっき処理を施せば優れた効果を得ることができる。
【図面の簡単な説明】
【００２３】
【図１】本発明の実施例のコネクタの側面断面図である。
【図２】本発明の実施例の係合ピンとカラーの分解斜視図である。
【図３】本発明の実施例の電子内視鏡装置のコネクタ接続部の斜視図である。
【符号の説明】
【００２４】
１０  コネクタ
１３  係合ピン
１４  カラー
４０  コネクタ受け
５５  カム溝
【図１】
2005058548.tif 000003
【図２】
2005058548.tif 000004
【図３】
2005058548.tif 000005